(57)【要約】【課題】通信部の構成を簡素化するとともに、通信部の構成を共用化し、通信の信頼性を向上すること。【解決手段】加熱部３と、加熱部３の制御命令を入力する操作部４と、操作部４に入力された制御命令に基づき加熱部３の動作を制御する制御部５と、操作部４に入力された制御命令に基づき換気扇に信号を送信する通信部６と、を備え、第１通信部６ａは、第２通信部６ｂが換気扇に送信する信号と同一の信号を、第２操作部４ｂが換気扇に送信する信号に対し所定の時間間隔ｔを設け、送信時刻を異ならせて換気扇に送信するようにしたものである。これによって、通信部の構成を簡素化することが可能となり、通信部の構成を共用化できる。【選択図】図１
2012255575.tif 000002
【特許請求の範囲】
【請求項１】
本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信する加熱調理器。
【請求項２】
本体上面に配される第３加熱部と、前記第３加熱部の制御命令を入力する第３操作部と、前記第３操作部に入力された制御命令に基づき前記第３加熱部の動作を制御する第３制御部と、前記第３操作部に入力された制御命令に基づき換気扇に信号を送信する第３通信部と、を備え、第１通信部、第２通信部及び前記第３通信部は、他の通信部が前記換気扇に送信する信号と同一の信号を、他の通信部が前記換気扇に送信する信号と所定の時間間隔を設け送信時刻を異ならせて前記換気扇に送信する請求項１に記載の加熱調理器。
【発明の詳細な説明】
【技術分野】
【０００１】
本発明は、換気扇との通信用投光部を備えた加熱調理器に関するものである。
【背景技術】
【０００２】
従来、この種の加熱調理器において換気扇との通信用投光部を備えるものとしては、キッチンのキャビネット上部に加熱調理器が設置され、加熱調理器上方には、換気扇が配置されている。
【０００３】
加熱調理器は、調理容器を加熱するための複数の加熱部と、加熱部の制御命令を入力する操作部と、操作部に入力された制御命令に基づき加熱部を制御する制御部と、操作部に入力された制御命令に基づき換気扇に信号を送信する通信部から構成される。
【０００４】
通信部は、機器内の全ての加熱情報を把握し、その加熱情報に基づいて換気扇に信号を送信している（例えば、特許文献１、特許文献２参照）。
【先行技術文献】
【特許文献】
【０００５】
【特許文献１】特開２０１０−０２５４０１号公報
【特許文献２】特開２００３−０２１３３９号公報
【発明の概要】
【発明が解決しようとする課題】
【０００６】
しかしながら、前記従来の構成では、機器内のすべての加熱部の加熱情報を把握し、前記加熱情報に従って、換気扇への信号を出力する通信部が必要であり、通信部の構成が複雑である、という課題を有していた。
【０００７】
本発明は、前記従来の課題を解決するもので、通信部の構成を簡素化するとともに、通信部の構成を共用化し、通信の信頼性を向上した加熱調理器を提供することを目的とする。
【課題を解決するための手段】
【０００８】
前記従来の課題を解決するために、本発明の加熱調理器は、本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信するようにしたものである。
【０００９】
これによって、通信部の構成を簡素化することが可能となり、通信部の構成を共用化できる。また、故障時においても、複数の通信部が独立して備わっているため、故障の影響を最小限の範囲に抑えることができる。
【発明の効果】
【００１０】
本発明の加熱調理器は、通信部の構成を簡素化することが可能となり、通信部の構成を共用化できる。
【００１１】
また、故障時においても、複数の通信部が独立して備わっているため、最小限の範囲に抑えることができる。
【図面の簡単な説明】
【００１２】
【図１】本発明の実施の形態１における加熱調理器のブロック図
【図２】本発明の実施の形態１における加熱調理器の待機時のＬＥＤ表示状態を示す図
【図３】本発明の実施の形態１における加熱調理器の加熱開始時のＬＥＤ表示状態を示す図
【図４】（ａ）本発明の実施の形態１における加熱調理器の加熱開始時の通信部の動作タイミングチャート（ｂ）本発明の実施の形態１における加熱調理器の加熱停止時の通信部の動作タイミングチャート
【図５】本発明の実施の形態２における加熱調理器のブロック図
【図６Ａ】（ａ）本発明の実施の形態２における加熱調理器の第１加熱部の加熱開始時における通信部の動作タイミングチャート（ｂ）本発明の実施の形態２における加熱調理器の第１加熱部の加熱停止時における通信部の動作タイミングチャート
【図６Ｂ】（ｃ）本発明の実施の形態２における加熱調理器の第２加熱部の加熱開始時における通信部の動作タイミングチャート（ｄ）本発明の実施の形態２における加熱調理器の第２加熱部の加熱停止時における通信部の動作タイミングチャート
【図６Ｃ】（ｅ）本発明の実施の形態２における加熱調理器の第３加熱部の加熱開始時における通信部の動作タイミングチャート（ｆ）本発明の実施の形態２における加熱調理器の第３加熱部の加熱停止時における通信部の動作タイミングチャート
【発明を実施するための形態】
【００１３】
第１の発明は、本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信するようにしたものである。
【００１４】
これによって、通信部の構成を簡素化することが可能となり、通信部の構成を共用化できる。
【００１５】
また、故障時においても、複数の通信部が独立して備わっているため、故障の影響を最小限の範囲に抑えることができる。
【００１６】
第２の発明は、特に、第１の発明の加熱調理器において、本体上面に配される第３加熱部と、前記第３加熱部の制御命令を入力する第３操作部と、前記第３操作部に入力された制御命令に基づき前記第３加熱部の動作を制御する第３制御部と、前記第３操作部に入力
された制御命令に基づき換気扇に信号を送信する第３通信部と、を備え、第１通信部、第２通信部及び前記第３通信部は、他の通信部が前記換気扇に送信する信号と同一の信号を、他の通信部が前記換気扇に送信する信号と所定の時間間隔を設け送信時刻を異ならせて前記換気扇に送信するようにしたものである。
【００１７】
これによって、通信部の構成を簡素化することが可能となり、通信部の構成を共用化できる。
【００１８】
また、故障時においても、複数の通信部が独立して備わっているため、最小限の範囲に抑えることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における加熱調理機器のブロック図である。
【００２１】
図１において、調理容器１を載置するためのトッププレート２と、トッププレート２の下方に設けられ調理容器１を誘導加熱する第１加熱部３ａおよび第２加熱部３ｂと、第１加熱部３ａに制御命令を入力する第１操作部４ａと、第２加熱部３ｂの制御命令を入力する第２操作部４ｂと、第１操作部４ａに入力された制御命令に基づき第１加熱部３ａの動作を制御する第１制御部５ａと、第２操作部４ｂに入力された制御命令に基づき第２加熱部３ｂの動作を制御する第２制御部５ｂと、第１操作部４ａに入力された制御命令に基づき換気扇に信号を送信する第１通信部６ａと、第２操作部４ｂに入力された制御命令に基づき換気扇に信号を送信する第２通信部６ｂと、を備えている。
【００２２】
以上のように構成された加熱調理器について以下その動作、作用を説明する。
【００２３】
図に示していない電源スイッチを押すと本実施の形態の加熱調理器は待機状態となる。待機状態では、図２の本発明の第１の実施の形態における加熱調理器の待機時のＬＥＤ表示状態を示す図の第１操作部４ａおよび第２操作部４ｂの操作可能なメニュー（例えば、加熱入／切、揚げ物入／切、湯沸し）に対応するＬＥＤ表示部１０が点滅している状態である。待機状態では、ＬＥＤが点滅しているメニューのみ選択することができる。
【００２４】
加熱を開始するには、待機状態中に第１操作部４ａあるいは第２操作部４ｂの加熱入／切スイッチ１１を選択すると加熱を開始する。
【００２５】
次に、第１加熱部３ａの加熱を例に説明を行う。図３は本発明の第１の実施の形態における加熱調理器の加熱開始時のＬＥＤ表示状態を示す図である。
【００２６】
加熱調理器の待機状態中に第１操作部４ａの加熱入／切スイッチ１１を選択すると、加熱を開始し、図３に示すように第１操作部４ａの加熱入／切および設定火力に対応するＬＥＤ表示部１０が点灯する。
【００２７】
加熱を開始すると、図４（ａ）本発明の第１の実施の形態における加熱調理器の加熱開始時の通信部の動作タイミングチャートに示すように第１通信部６ａ（ここでは第１加熱部３ａが加熱を開始している）は、換気扇に換気扇を回転させる赤外線信号（換気扇回転信号）を送信する。
【００２８】
そして、第１通信部６ａが換気扇を回転させる赤外線信号を送信してから所定の時間間
隔ｔ（例えば５０μｓ）後に、第２通信部６ｂは、第１通信部６ａが送信した赤外線信号（換気扇回転信号）と同一の信号を換気扇に送信する。
【００２９】
加熱中は、火力アップスイッチ１４を一回選択する毎に設定火力を一段階アップさせ、火力ダウンスイッチ１５を一回選択する毎に設定火力を一段階ダウンさせることができる。
【００３０】
加熱中に、第１操作部４ａの加熱入／切スイッチ１１を選択すると、加熱を停止し、待機状態に戻る。加熱を停止すると、図４（ｂ）本発明の実施の形態１における加熱調理器の加熱停止時の通信部の動作タイミングチャートに示すように第１通信部６ａは、換気扇に換気扇を停止させる赤外線信号を送信する。
【００３１】
そして、換気扇を停止させる赤外線信号を送信してから所定の時間間隔ｔ（例えば５０μｓ）後に、第２通信部６ｂは、第１通信部６ａが送信した赤外線信号と同一の信号を換気扇に送信する。
【００３２】
上記では、加熱を例に説明したが、加熱の代わりに揚げ物や湯沸し等の自動調理メニューの開始、停止においても同等の効果が得られる。
【００３３】
また、通信部が送信する信号を赤外線信号として説明したが、その他の無線信号においても同等の効果が得られ、これに限定するものではない。
【００３４】
以上のような構成により、通信部の構成を簡素化することが可能となり、通信部の構成を共用化できる。
【００３５】
また、故障時においても、複数の通信部が独立して備わっているため、故障の影響を最小限の範囲に抑えることができる。
【００３６】
（実施の形態２）
次に、本発明の第２の実施の形態について説明する。実施の形態１と同一部分は説明を省略し、相違点についてのみ説明する。図５は、本発明の実施の形態２における加熱調理機器のブロック図である。
【００３７】
実施の形態１との相違点は、図５において本体上面に配される第３加熱部３ｃと、第３加熱部３ｃの制御命令を入力する第３操作部４ｃと、第３操作部４ｃに入力された制御命令に基づき第３加熱部３ｃの動作を制御する第３制御部５ｃと、第３操作部４ｃに入力された制御命令に基づき換気扇に信号を送信する第３通信部６ｃと、を備え、第１通信部６ａ、第２通信部６ｂ及び第３通信部６ｃは、他の通信部が前記換気扇に送信する信号と同一の信号を、他の通信部が前記換気扇に送信する信号と所定の時間間隔ｔを設け送信時刻を異ならせて前記換気扇に送信する構成とした点である。
【００３８】
以上のように構成された加熱調理器について以下その動作、作用を説明する。
【００３９】
第１加熱部３ａを加熱する場合、加熱を開始すると、図６Ａ（ａ）本発明の第２の実施の形態における加熱調理器の第１加熱部の加熱開始時における通信部の動作タイミングチャートに示すように、第１通信部６ａは換気扇に換気扇を回転させる赤外線信号を送信する。
【００４０】
そして、第１通信部６ａが換気扇を回転させる赤外線信号を送信してから所定の時間間隔ｔ（例えば５０μｓ）後に、第２通信部６ｂは、第１通信部６ａが送信した赤外線信号
と同一の信号を換気扇に送信し、第２通信部６ｂが換気扇を回転させる赤外線信号を送信してから所定の時間間隔ｔ（例えば５０μｓ）後に、第３通信部６ｃは、第１通信部６ａおよび第２通信部６ｂが送信した赤外線信号と同一の信号を換気扇に送信する。
【００４１】
第１加熱部の加熱を停止すると、図６Ａ（ｂ）本発明の第２の実施の形態における加熱調理器の第１加熱部の加熱停止時における通信部の動作タイミングチャートに示すように第１通信部６ａは、換気扇に換気扇を停止させる赤外線信号を送信する。
【００４２】
そして、第１通信部６ａが換気扇を停止させる赤外線信号を送信してから所定の時間間隔ｔ（例えば５０μｓ）後に、第２通信部６ｂは、第１通信部６ａが送信した赤外線信号と同一の信号を換気扇に送信し、第２通信部６ｂが換気扇を停止させる赤外線信号を送信してから所定の時間間隔ｔ（例えば５０μｓ）後に、第３通信部６ｃは、第１通信部６ａおよび第２通信部６ｂが送信した赤外線信号と同一の信号を換気扇に送信する。
【００４３】
第２加熱部３ｂを加熱する場合、加熱を開始すると、図６Ｂ（ｃ）本発明の第２の実施の形態における加熱調理器の第２加熱部の加熱開始時における通信部の動作タイミングチャートに示すように、第２通信部６ｂは、換気扇に換気扇を回転させる赤外線信号を送信する。
【００４４】
そして、第２通信部６ｂが換気扇を回転させる赤外線信号を送信してから所定の時間間隔ｔ（例えば５０μｓ）後に、第３通信部６ｃは、第２通信部６ｂが送信した赤外線信号と同一の信号を換気扇に送信し、第３通信部６ｃが換気扇を回転させる赤外線信号を送信してから所定の時間間隔ｔ（例えば５０μｓ）後に、第１通信部６ａは、第２通信部６ｂおよび第３通信部６ｃが送信した赤外線信号と同一の信号を換気扇に送信する。
【００４５】
加熱を停止すると、図６Ｂ（ｄ）本発明の第２の実施の形態における加熱調理器の第２加熱部の加熱停止時における通信部の動作タイミングチャートに示すように、第２通信部６ｂは、換気扇に換気扇を停止させる赤外線信号を送信する。
【００４６】
そして、第２通信部６ｂが換気扇を停止させる赤外線信号を送信してから所定の時間間隔ｔ（例えば５０μｓ）後に、第３通信部６ｃは、第２通信部６ｂが送信した赤外線信号と同一の信号を換気扇に送信し、第３通信部６ｃが換気扇を停止させる赤外線信号を送信してから所定の時間間隔ｔ（例えば５０μｓ）後に、第１通信部６ａは、第２通信部６ｂおよび第３通信部６ｃが送信した赤外線信号と同一の信号を換気扇に送信する。
【００４７】
第３加熱部３ｃを加熱する場合、加熱を開始すると、図６Ｃ（ｅ）本発明の第２の実施の形態における加熱調理器の第３加熱部の加熱開始時における通信部の動作タイミングチャートに示すように第３通信部６ｃは、換気扇に換気扇を回転させる赤外線信号を送信する。
【００４８】
そして、第３通信部６ｃが換気扇を回転させる赤外線信号を送信してから所定の時間間隔ｔ（例えば５０μｓ）後に、第１通信部６ａは、第３通信部６ｃが送信した赤外線信号と同一の信号を換気扇に送信し、第１通信部６ａが換気扇を回転させる赤外線信号を送信してから所定の時間間隔ｔ（例えば５０μｓ）後に、第２通信部６ｂは、第３通信部６ｃおよび第１通信部６ａが送信した赤外線信号と同一の信号を換気扇に送信する。
【００４９】
加熱を停止すると、図６Ｃ（ｆ）本発明の第２の実施の形態における加熱調理器の第３加熱部の加熱停止時における通信部の動作タイミングチャートに示すように第３通信部６ｃは、換気扇に換気扇を停止させる赤外線信号を送信する。
【００５０】
そして、第３通信部６ｃが換気扇を停止させる赤外線信号を送信してから所定の時間間隔ｔ（例えば５０μｓ）後に、第１通信部６ａは、第３通信部６ｃが送信した赤外線信号と同一の信号を換気扇に送信し、第１通信部６ａが換気扇を停止させる赤外線信号を送信してから所定の時間間隔ｔ（例えば５０μｓ）後に、第２通信部６ｂは、第３通信部６ｃおよび第１通信部６ａが送信した赤外線信号と同一の信号を換気扇に送信する。
【００５１】
以上のような構成により、通信部の構成を簡素化することが可能となり、通信部の構成を共用化できる。
【００５２】
また、故障時においても、複数の通信部が独立して備わっているため、故障の影響を最小限の範囲に抑えることができる。
【産業上の利用可能性】
【００５３】
以上のように、本発明にかかる加熱調理器は、簡単な構成で複数の通信部を共用化でき動作信頼性を高めることが可能となるので、換気扇と赤外線通信を行う加熱調理器の他に、赤外線以外の波長の光や電波を媒体とした通信や、超音波通信を使用した機器などの用途にも適用できる。
【符号の説明】
【００５４】
１  調理容器
２  トッププレート
３ａ  第１加熱部
３ｂ  第２加熱部
３ｃ  第３加熱部
４ａ  第１操作部
４ｂ  第２操作部
４ｃ  第３操作部
５ａ  第１制御部
５ｂ  第２制御部
５ｃ  第３制御部
６ａ  第１通信部
６ｂ  第２通信部
６ｃ  第３通信部
１０  ＬＥＤ表示部
１１  加熱入／切スイッチ
１２  揚げ物入／切スイッチ
１３  湯沸し入／切スイッチ
１４  火力アップスイッチ
１５  火力ダウンスイッチ
【図１】
2012255575.tif 000003
【図２】
2012255575.tif 000004
【図３】
2012255575.tif 000005
【図４】
2012255575.tif 000006
【図５】
2012255575.tif 000007
【図６Ａ】
2012255575.tif 000008
【図６Ｂ】
2012255575.tif 000009
【図６Ｃ】
2012255575.tif 000010